(57)【要約】【課題】  自分の端末に合うようにするために、コンテンツの利用者側でコンテンツの変換を行うことができるようにする。【解決手段】  ユーザ端末３ａ、３ｂの性能に適合するようにユーザ端末３ａ、３ｂに送信されるコンテンツデータの変換を行うエージェント１０をルータ４に設け、エージェント１０は、ユーザ端末３ａ、３ｂからのコンテンツ要求があると、そのコンテンツ要求に対応したコンテンツデータをコンテンツサーバ２ａ、２ｂから取り込み、エージェント１０は、コンテンツサーバ２ａ、２ｂから配信されたコンテンツデータを取り込むと、ユーザ端末３ａ、３ｂにそれぞれ適合するようにそのコンテンツデータのフォーマット変換を行い、そのフォーマット変換されたコンテンツデータをユーザ端末３ａ、３ｂにそれぞれ送信する。【選択図】      図１
2005339149.tif 000002
【特許請求の範囲】
【請求項１】
ネットワーク間の接続を行うルータと、
前記ルータに搭載され、ユーザ端末に適合するように前記ユーザ端末に送信されるコンテンツデータの変換を行うエージェント手段とを備えることを特徴とするデータ処理装置。
【請求項２】
前記エージェント手段は、
前記ユーザ端末からのコンテンツ要求を受信するコンテンツ要求受信手段と、
前記コンテンツ要求に対応したコンテンツデータへのアクセス先を検索するコンテンツ要求認識手段と、
前記コンテンツ要求認識手段により検索されたアクセス先の参照結果に基づいて、前記コンテンツ要求に対応したコンテンツデータを取得するコンテンツ取得手段と、
前記コンテンツ取得手段により取得されたコンテンツデータを前記ユーザ端末に適合するようにフォーマット変換を行うフォーマット変換手段と、
前記フォーマット変換手段にてフォーマット変換されたコンテンツデータを前記ユーザ端末に送信するコンテンツ送信手段とを備えることを特徴とする請求項１記載のデータ処理装置。
【請求項３】
前記ユーザ端末から要求されるコンテンツとコンテンツサーバへのアドレスとの対応関係が登録された変換テーブルをさらに備え、
前記コンテンツ要求認識手段は、前記変換テーブルの参照結果に基づいて、前記コンテンツ要求に対応したコンテンツデータへのアクセス先を検索することを特徴とする請求項２記載のデータ処理装置。
【請求項４】
ユーザ端末からのコンテンツ要求をルータにて取得するステップと、
前記ユーザ端末に適合するように前記コンテンツ要求に対応したコンテンツデータの変換を前記ルータ上で行うステップとを備えることを特徴とするデータ処理方法。
【請求項５】
ユーザ端末からのコンテンツ要求をルータにて受信するステップと、
前記コンテンツ要求に対応したコンテンツデータへのアクセス先を検索するステップと、
前記検索されたアクセス先の参照結果に基づいて、前記コンテンツ要求に対応したコンテンツデータを取得するステップと、
前記コンテンツ要求に対応したコンテンツデータを前記ユーザ端末に適合するように前記ルータ上でフォーマット変換を行うステップと、
前記フォーマット変換されたコンテンツデータを前記ユーザ端末に送信するステップとを備えることを特徴とするデータ処理方法。
【請求項６】
コンテンツの利用に関する前記ユーザ端末を介したユーザ要求の入力を許容する開発キットを蓄積するステップと、
前記ユーザ要求の入力メニューを前記ユーザ端末に提示するステップと、
前記ユーザ端末からのユーザ要求を前記ルータにて取得するステップと、
前記開発キットに基づいて前記コンテンツの利用に関するユーザ要求を編集することにより、前記ユーザ要求に対応した機能を実現するステップとを備えることを特徴とする請求項５記載のデータ処理方法。
【請求項７】
前記ユーザ要求に対応した機能は、迷惑メールにフィルタリング、複数コンテンツの収集およびレポートまたはコンテンツの定期的レポートを含むことを特徴とする請求項６記載のデータ処理方法。
【請求項８】
携帯端末からのコンテンツ要求をルータにて受信するステップと、
前記コンテンツ要求に対応したコンテンツデータをコンテンサーバから取得するステップと、
前記コンテンツ要求に対応したコンテンツデータを前記ユーザ端末に適合するように前記ルータ上でフォーマット変換を行うステップと、
前記フォーマット変換されたコンテンツデータを前記携帯端末に送信するステップとを備えることを特徴とするデータ処理方法。
【請求項９】
ユーザ端末からのコンテンツ要求をルータに取得させるステップと、
前記ユーザ端末に適合するように前記コンテンツ要求に対応したコンテンツデータの変換をルータ上で行わせるステップとをコンピュータに実行させることを特徴とするデータ処理プログラム。
【発明の詳細な説明】
【技術分野】
【０００１】
本発明はデータ処理装置、データ処理方法およびデータ処理プログラムに関し、特に、
インターネット端末の処理能力や表示能力に合わせてコンテンツを適切に表示させる方法に適用して好適なものである。
【背景技術】
【０００２】
従来のインターネット端末へのコンテンツデータの配信方法では、インターネット端末の処理能力や表示能力に合わせてコンテンツが適切に表示されるようにするため、デスクトップ型などのパーソナルコンピュータを対象としたＷｅｂサーバの他に、携帯電話やＰＤＡ（Ｐｅｒｓｏｎａｌ  Ｄｉｇｉｔａｌ  Ａｓｓｉｓｔａｎｃｅ）に対応したコンテンツデータを保持するＷｅｂサーバを設置することが行われている。
ここで、特許文献１には、同一のアドレス（ＵＲＬ）にて、キャリアの異なる携帯電話やコンピュータ端末の全てにコンテンツを配信できるようにするため、これらのコンテンツデータを一元的に管理できるようにする方法が開示されている。
【０００３】
すなわち、特許文献１に開示された方法では、各キャリアおよびキャリアにおいて使用されている携帯電話端末の端末情報や閲覧ソフトであるブラウザの情報などが登録された端末情報テーブルをサーバコンピュータに設ける。そして、サーバコンピュータは、携帯電話端末からの要求メッセージのヘッダに含まれているユーザエージェント情報より、その携帯電話端末のキャリアの種別とその端末の機種ならびに搭載ブラウザの種別を特定可能な情報を抽出し、この情報に該当するキャリアのアクセス方式の種別や携帯電話端末の表示性能、デバイスのタイプなどの端末情報を端末情報テーブルから取得するとともに、携帯電話端末からの要求メッセージにて要求されたコンテンツデータを読み出す。そして、サーバコンピュータは、アクセスしてきた携帯電話端末のキャリア会社のアクセス方式であるＨＤＭＬ形式のファイルにコンテンツデータを変換するとともに、このファイル変換において、携帯電話端末の表示性能に合わせてコンテンツデータを適宜修正して、携帯電話端末に配信するようにしている。
【特許文献１】特開２００２−３４２２１３号公報
【発明の開示】
【発明が解決しようとする課題】
【０００４】
しかしながら、特許文献１に開示された方法では、サービス提供者側のサーバコンピュータにてコンテンツデータのファイル変換が行われるため、サービス提供者側の意思でサービス対象デバイスが決定される。このため、サービス対象デバイスのフォーマットに変換するゲートウェイサーバをサービス提供者側が用意し、サービス利用者はサービスの提供環境に合わせたデバイスを利用しなければならないという問題があった。
【０００５】
また、サービス提供者側のサーバコンピュータにてコンテンツデータの修正が行われるため、元のコンテンツの同一性が損なわれることがあり、著作権を侵害する恐れがあった。
そこで、本発明の目的は、自分の端末に合うようにするために、コンテンツの利用者側でコンテンツの変換を行うことが可能なデータ処理装置、データ処理方法およびデータ処理プログラムを提供することである。
【課題を解決するための手段】
【０００６】
上述した課題を解決するために、請求項１記載のデータ処理装置によれば、ネットワーク間の接続を行うルータと、前記ルータに搭載され、ユーザ端末に適合するように前記ユーザ端末に送信されるコンテンツデータの変換を行うエージェント手段とを備えることを特徴とする。
これにより、コンテンツデータのフォーマット変換を自分で用意したルータに行わせることが可能となり、自分が保有するユーザ端末に対応したエージェント手段を自分自身の意思でルータに持たせることが可能となる。このため、自分が保有するユーザ端末が、サービス提供者側のサービス対象デバイスとして扱われていない場合においても、様々のコンテンツを自分のユーザ端末に適した形態で利用することが可能となる。
また、自分自身で利用する範囲内においてコンテンツデータの修正を行うことが可能となり、コンテンツデータのフォーマット変換を行ったために、元のコンテンツの同一性が損なわれた場合においても、著作権の侵害を回避することができる。
【０００７】
また、請求項２記載のデータ処理装置によれば、前記エージェント手段は、前記ユーザ端末からのコンテンツ要求を受信するコンテンツ要求受信手段と、前記コンテンツ要求に対応したコンテンツデータへのアクセス先を検索するコンテンツ要求認識手段と、前記コンテンツ要求認識手段により検索されたアクセス先の参照結果に基づいて、前記コンテンツ要求に対応したコンテンツデータを取得するコンテンツ取得手段と、前記コンテンツ取得手段により取得されたコンテンツデータを前記ユーザ端末に適合するようにフォーマット変換を行うフォーマット変換手段と、前記フォーマット変換手段にてフォーマット変換されたコンテンツデータを前記ユーザ端末に送信するコンテンツ送信手段とを備えることを特徴とする。
【０００８】
これにより、ユーザ端末からのコンテンツ要求に対応したコンテンツデータをルータに取り込むことが可能となるとともに、ユーザ端末に適したコンテンツデータのフォーマット形式をルータ側で把握することが可能となる。このため、ユーザ端末に配信されるコンテンツデータがユーザ端末に適合するようにルータ上でフォーマット変換を行わせることが可能となり、様々のコンテンツを自分のユーザ端末に適した形態で利用することが可能となる。
【０００９】
また、請求項３記載のデータ処理装置によれば、前記ユーザ端末から要求されるコンテンツとコンテンツサーバへのアドレスとの対応関係が登録された変換テーブルをさらに備え、前記コンテンツ要求認識手段は、前記変換テーブルの参照結果に基づいて、前記コンテンツ要求に対応したコンテンツデータへのアクセス先を検索することを特徴とする。
これにより、ユーザ端末からのコンテンツ要求に対応したコンテンツデータをルータに容易に取り込むことが可能となり、ユーザ端末からのコンテンツ要求に対応したコンテンツデータのフォーマット変換をルータ上で行うことができる。
【００１０】
また、請求項４記載のデータ処理方法によれば、ユーザ端末からのコンテンツ要求をルータにて取得するステップと、前記ユーザ端末に適合するように前記コンテンツ要求に対応したコンテンツデータの変換をルータ上で行うステップとを備えることを特徴とする。
これにより、コンテンツデータのフォーマット変換を自分で用意したルータに行わせることが可能となり、利用可能なキャリアやユーザ端末の機種に制限を受けることなく、様々のコンテンツを自分のユーザ端末に適した形態で利用することが可能となる。
【００１１】
また、請求項５記載のデータ処理方法によれば、ユーザ端末からのコンテンツ要求をルータにて受信するステップと、前記コンテンツ要求に対応したコンテンツデータへのアクセス先を検索するステップと、前記検索されたアクセス先の参照結果に基づいて、前記コンテンツ要求に対応したコンテンツデータを取得するステップと、前記コンテンツ要求に対応したコンテンツデータを前記ユーザ端末に適合するように前記ルータ上でフォーマット変換を行うステップと、前記フォーマット変換されたコンテンツデータを前記ユーザ端末に送信するステップとを備えることを特徴とする。
【００１２】
これにより、ユーザ端末からのコンテンツ要求に対応したコンテンツデータをルータに取り込むことが可能となるとともに、ユーザ端末に適したコンテンツデータのフォーマット形式をルータ側で把握することが可能となる。このため、ユーザ端末に適合するようにコンテンツデータをルータ上でフォーマット変換してから、コンテンツデータをユーザ端末に配信することが可能となり、様々のコンテンツを自分のユーザ端末に適した形態で利用することが可能となる。
【００１３】
また、請求項６記載のデータ処理方法によれば、コンテンツの利用に関する前記ユーザ端末を介したユーザ要求の入力を許容する開発キットを蓄積するステップと、前記ユーザ要求の入力メニューを前記ユーザ端末に提示するステップと、前記ユーザ端末からのユーザ要求を前記ルータにて取得するステップと、前記開発キットに基づいて前記コンテンツの利用に関するユーザ要求を編集することにより、前記ユーザ要求に対応した機能を実現するステップとを備えることを特徴とする。
これにより、ユーザ端末上で利用可能なコンテンツの利用に関する一覧をユーザ端末に提示することが可能となるとともに、ユーザが要求する様々の機能をルータ上で実現することが可能となる。
【００１４】
また、請求項７記載のデータ処理方法によれば、前記ユーザ要求に対応した機能は、迷惑メールにフィルタリング、複数コンテンツの収集およびレポートまたはコンテンツの定期的レポートを含むことを特徴とする。
これにより、コンテンツの利用に関するユーザからの要求をルータにて受け付けることが可能となり、ユーザが要求する様々の機能をルータ上で実現することが可能となる。
【００１５】
また、請求項８記載のデータ処理方法によれば、携帯端末からのコンテンツ要求をルータにて受信するステップと、前記コンテンツ要求に対応したコンテンツデータをコンテンサーバから取得するステップと、前記コンテンツ要求に対応したコンテンツデータを前記ユーザ端末に適合するように前記ルータ上でフォーマット変換を行うステップと、前記フォーマット変換されたコンテンツデータを前記携帯端末に送信するステップとを備えることを特徴とする。
【００１６】
これにより、携帯端末からのコンテンツ要求に対応したコンテンツデータをルータに取り込むことが可能となるとともに、携帯端末に適したコンテンツデータのフォーマット形式をルータ側で把握することが可能となる。このため、携帯端末に適合するようにコンテンツデータをルータ上でフォーマット変換してから、コンテンツデータを携帯端末に配信することが可能となり、携帯端末の処理能力や表示能力が劣っている場合においても、様々のコンテンツを自分の携帯端末に適した形態で利用することが可能となる。
【００１７】
また、請求項９記載のデータ処理プログラムによれば、ユーザ端末からのコンテンツ要求をルータに取得させるステップと、前記ユーザ端末に適合するように前記コンテンツ要求に対応したコンテンツデータの変換をルータ上で行わせるステップとをコンピュータに実行させることを特徴とする。
これにより、データ処理プログラムをルータ上で実行させることで、コンテンツデータのフォーマット変換を自分で用意したルータに行わせることが可能となり、利用可能なキャリアやユーザ端末の機種に制限を受けることなく、様々のコンテンツを自分のユーザ端末に適した形態で利用することが可能となる。
【発明の効果】
【００１８】
以上説明したように、本発明によれば、コンテンツデータのフォーマット変換を自分で用意したルータに行わせることが可能となり、様々のコンテンツを自分のユーザ端末に適した形態で利用することが可能となるとともに、コンテンツデータのフォーマット変換を行った場合においても、著作権の侵害を回避することができる。
【発明を実施するための最良の形態】
【００１９】
以下、本発明の実施形態に係るデータ処理装置およびデータ処理方法について図面を参照しながら説明する。
図１は、本発明の一実施形態に係るデータ処理装置が用いられるネットワークの概略構成を示すブロック図である。
図１において、ユーザ端末３ａは、ルータ４を介して通信ネットワーク１ａに接続され、ユーザ端末３ｂは、通信ネットワーク１ｂを介して通信ネットワーク１ａに接続されている。なお、ユーザ端末３ａとしては、ノート型パーソナルコンピュータやデスクトップ型パーソナルコンピュータなどを用いることができ、ユーザ端末３ｂとしては、携帯電話やＰＤＡなどを用いることができる。また、通信ネットワーク１ａとしては、インターネット、固定電話通信網や無線ＬＡＮなどを用いることができ、通信ネットワーク１ｂとしては、移動体通信網などを用いることができる。
【００２０】
また、通信ネットワーク１ａには、ユーザ端末３ａ、３ｂからのコンテンツ要求に基づいてユーザ端末３ａ、３ｂにコンテンツデータを配信するコンテンツサーバ２ａ、２ｂが接続されている。
また、ルータ４は、ＬＡＮなどのネットワーク間の中継点に設置することができ、ネットワーク間の接続を行うことができる。ここで、ルータ４には、ユーザ端末３ａ、３ｂの性能に適合するようにユーザ端末３ａ、３ｂに送信されるコンテンツデータの変換を行うエージェント１０が設けられている。なお、エージェント１０は、コンテンツデータの変換処理を行うプログラムをルータ４に搭載されたコンピュータに実行させることにより実現することができる。
【００２１】
そして、エージェント１０は、ユーザ端末３ａ、３ｂからのコンテンツ要求があると、そのコンテンツ要求に対応したコンテンツデータをコンテンツサーバ２ａ、２ｂから取り込む。そして、エージェント１０は、コンテンツサーバ２ａ、２ｂから配信されたコンテンツデータを取り込むと、ユーザ端末３ａ、３ｂにそれぞれ適合するようにそのコンテンツデータのフォーマット変換を行い、そのフォーマット変換されたコンテンツデータをユーザ端末３ａ、３ｂにそれぞれ送信する。
【００２２】
これにより、コンテンツデータのフォーマット変換を自分で用意したルータ４に行わせることが可能となり、自分が保有するユーザ端末３ａ、３ｂに対応したエージェント１０を自分自身の意思でルータ４に持たせることが可能となる。このため、自分が保有するユーザ端末３ａ、３ｂが、サービス提供者側のサービス対象デバイスとして扱われていない場合においても、様々のコンテンツを自分のユーザ端末３ａ、３ｂに適した形態で利用することが可能となる。
また、自分で用意したルータ４にエージェント１０を持たせることで、自分自身で利用する範囲内においてコンテンツデータの修正を行うことが可能となり、コンテンツデータのフォーマット変換を行ったために、元のコンテンツの同一性が損なわれた場合においても、著作権の侵害を回避することができる。
【００２３】
図２は、図１のエージェント１０の概略構成を示すブロック図である。
図２において、エージェント１０には、ユーザ端末３ａ、３ｂからのコンテンツ要求を受信するコンテンツ要求受信部１１、コンテンツ要求受信部１１にて受信されたコンテンツ要求に基づいて、コンテンツ要求認識部１４およびフォーマット変換部１６の制御を行うＣＰＵ１２、ＣＰＵ１２を動作させるためのプログラムや各種データを記憶するメモリ１３、ユーザ端末３ａ、３ｂからのコンテンツ要求に対応したコンテンツデータへのアクセス先を検索するコンテンツ要求認識部１４、コンテンツ要求認識部１４により検索されたアクセス先の参照結果に基づいて、ユーザ端末３ａ、３ｂからのコンテンツ要求に対応したコンテンツデータをコンテンツサーバ２ａ、２ｂから取得するコンテンツ取得部１５、コンテンツ取得部１５により取得されたコンテンツデータを各ユーザ端末３ａ、３ｂに適合するようにフォーマット変換を行うフォーマット変換部１６、フォーマット変換部１６にてフォーマット変換されたコンテンツデータをユーザ端末３ａ、３ｂにそれぞれ送信するコンテンツ送信部１７が設けられている。
【００２４】
なお、メモリ１３には、コンテンツの利用に関するユーザ端末３ａ、３ｂを介したユーザ要求の入力を許容する開発キット１３ａを蓄積することができる。例えば、開発キット１３ａには、ＵＲＬから得られるコンテンツをユーザ端末３ａ、３ｂ上で利用する部分やユーザ端末３ａ、３ｂの表示画面に合わせてコンテンツを切り出したりする部分を登録することができる。
また、コンテンツ要求認識部１４には変換テーブル１４ａが設けられ、変換テーブル１４ａには、各ユーザ端末３ａ、３ｂ要求されるコンテンツとコンテンツサーバへのアドレスとの対応関係を登録することができる。
【００２５】
図３は、図２の変換テーブル１４ａの構成例を示す図である。
図３において、要求されるコンテンツＫとして、例えば、“Ａ”、“Ｂ”、“Ｃ”が登録され、“Ａ”、“Ｂ”、“Ｃ”というコンテンツＫに対応したコンテンツコンテンツサーバ２ａ、２ｂへのアドレスとして、“ａ”、“ｂ”、“ｃ”がそれぞれ登録されている。
【００２６】
図４は、図２のエージェント１０の動作の一例を示すフローチャートである。
図４において、例えば、ユーザ端末３ｂにてコンテンツ要求が行われると、そのコンテンツ要求が通信ネットワーク１ａ、１ｂを介して送信され、ユーザ端末３ｂからのコンテンツ要求がルータ４に送られる。そして、ユーザ端末３ｂからのコンテンツ要求がルータ４に送られると、コンテンツ要求受信部１１は、ユーザ端末３ｂからのコンテンツ要求を受信し、ＣＰＵ１２に送る（ステップＳ１）。
次に、ＣＰＵ１２は、ユーザ端末３ｂからのコンテンツ要求を受け取ると、そのコンテンツ要求をコンテンツ要求認識部１４に転送する（ステップＳ２）。
【００２７】
次に、コンテンツ要求認識部１４は、ユーザ端末３ｂからのコンテンツ要求を受け取ると、ＣＰＵ１２からの指示に従って、そのコンテンツ要求に対応したコンテンツデータへのアクセス先を検索する（ステップＳ３）。ここで、コンテンツ要求認識部１４は、ユーザ端末３ｂからのコンテンツ要求に対応したコンテンツデータへのアクセス先を検索する場合、変換テーブル１４ａを参照することができる。例えば、ユーザ端末３ｂから“Ａ”というコンテンツＫが要求された場合、変換テーブル１４ａを参照することにより、コンテンツコンテンツサーバ２ａ、２ｂのアドレス“ａ”を取得することができる。
【００２８】
次に、コンテンツ取得部１５は、コンテンツ要求認識部１４により検索されたアドレスで指定されるコンテンツコンテンツサーバ２ａ、２ｂにアクセスすることにより、ユーザ端末３ａ、３ｂからのコンテンツ要求に対応したコンテンツデータをコンテンツサーバ２ａ、２ｂから取得し、フォーマット変換部１６に送る（ステップＳ４）。
次に、フォーマット変換部１６は、コンテンツ要求に対応したコンテンツデータを受け取ると、ＣＰＵ１２からの指示に従って、そのコンテンツデータをユーザ端末３ｂに適合するようにフォーマット変換を行い、そのフォーマット変換したコンテンツデータをコンテンツ送信部１７に送る（ステップＳ５）。
【００２９】
ここで、各キャリアおよびキャリアにおいて使用されている携帯端末の端末情報や閲覧ソフトであるブラウザの情報などが登録された端末情報テーブルをルータ４に設けることができる。そして、ＣＰＵ１２は、ユーザ端末３ｂからのコンテンツ要求のヘッダに含まれているユーザエージェント情報より、そのユーザ端末３ｂのキャリアの種別とそのユーザ端末３ｂの機種ならびに搭載ブラウザの種別を特定可能な情報を抽出し、この情報に該当するキャリアのアクセス方式の種別やユーザ端末３ｂの表示性能、デバイスのタイプなどの端末情報を端末情報テーブルから取得することができる。そして、ＣＰＵ１２は、これらの端末情報をフォーマット変換部１６に送り、フォーマット変換部１６は、これらの端末情報に基づいてコンテンツデータのフォーマット変換を行うことにより、ユーザ端末３ｂから要求されたコンテンツデータをユーザ端末３ｂに適合させることができる。
【００３０】
次に、コンテンツ送信部１７は、フォーマット変換部１６にてフォーマット変換されたコンテンツデータをフォーマット変換部１６から受け取ると、そのフォーマット変換されたコンテンツデータをユーザ端末３ｂに送信する（ステップＳ６）。
これにより、ユーザ端末３ｂからのコンテンツ要求に対応したコンテンツデータをルータ４に取り込むことが可能となるとともに、ユーザ端末３ｂに適したコンテンツデータのフォーマット形式をルータ４側で把握することが可能となる。このため、ユーザ端末３ｂに適合するようにコンテンツデータをルータ４上でフォーマット変換してから、コンテンツデータをユーザ端末３ｂに配信することが可能となり、ユーザ端末３ｂの処理能力や表示能力がユーザ端末３ａに比べて劣っている場合においても、様々のコンテンツを自分のユーザ端末３ｂに適した形態で利用することが可能となる。
【００３１】
また、コンテンツの利用に関するユーザ端末３ａ、３ｂを介したユーザ要求の入力を許容する開発キットがメモリ１３に蓄積されると、ルータ４は、ユーザ要求の入力メニューをユーザ端末３ｂに提示し、ユーザ端末３ｂからのユーザ要求をルータ４にて取得することができる。例えば、入力メニューをユーザ端末３ｂに提示することにより、Ｗｅｂのニュースサイトのユーザ端末３ｂで見たい部分を指定することができる。そして、開発キット１３ａに基づいてコンテンツの利用に関するユーザ要求を編集することにより、ユーザ要求に対応した機能を実現することができる。なお、ユーザ要求に対応した機能は、迷惑メールにフィルタリング、複数コンテンツの収集およびレポートまたはコンテンツの定期的レポートを含むことができる。
これにより、ユーザ端末３ｂ上で利用可能なコンテンツの利用に関する一覧をユーザ端末３ｂに提示することが可能となるとともに、ユーザが要求する様々の機能をルータ４上で実現することが可能となる。
【産業上の利用可能性】
【００３２】
本発明のデータ処理装置は、コンテンツのフォーマット変換をユーザ端末に適するようにルータ４にて行わせることにより、ユーザがどのようなユーザ端末を使用した場合においても、ネットワークを介してユーザが希望するコンテンツを取得することができ、様々のコンテンツの配信が行われるネットワーク環境にて利用することができる。
【図面の簡単な説明】
【００３３】
【図１】本発明の一実施形態に係るデータ処理装置が用いられるネットワークの概略構成を示すブロック図である。
【図２】図１のエージェント１０の概略構成を示すブロック図である。
【図３】図２の変換テーブル１４ａの構成例を示す図である。
【図４】図２のエージェント１０の動作の一例を示すフローチャートである。
【符号の説明】
【００３４】
１ａ、１ｂ  通信ネットワーク
２ａ、２ｂ  コンテンツサーバ
３ａ、３ｂ  ユーザ端末
４  ルータ
１０  エージェント
１１  コンテンツ要求受信部
１２  ＣＰＵ
１３  メモリ
１３ａ  開発キット
１４  コンテンツ要求認識部
１４ａ  変換テーブル
１５  コンテンツ取得部
１６  フォーマット変換部
１７  コンテンツ送信部
【図１】
2005339149.tif 000003
【図２】
2005339149.tif 000004
【図３】
2005339149.tif 000005
【図４】
2005339149.tif 000006